(57)【要約】【課題】  ボタン押下式防犯サムターンにおいても、ボタンが容易に押下状態に保持できない防犯サムターンを得、防犯性の一層の向上を図る。【解決手段】  扉Ｄの屋内面Ｄｓから突出され施錠機構を内蔵した錠箱へ施解錠回転操作力を入力可能とする一方、この施解錠回転操作力の入力を規制する回転規制手段の設けられた摘み２１と、摘み２１の外周に押下自在に突設され手指で押下されることで回転規制手段の規制を解除して摘み２１による錠箱への施解錠回転操作力の入力を可能とするボタン４５，４５とを具備し、摘み２１には、一方の摺動位置でボタン４５，４５を覆い隠し、他方の摺動位置でボタン４５，４５を露出させるカバー部材４９を移動自在に設けた。【選択図】      図１
2006193951.tif 000002
【特許請求の範囲】
【請求項１】
扉の屋内面から突出され施錠機構を内蔵した錠箱へ施解錠回転操作力を入力可能とする一方、該施解錠回転操作力の入力を規制する回転規制手段の設けられた摘みと、
該摘みの外周に押下自在に突設され手指で押下されることで前記回転規制手段の規制を解除して前記摘みによる前記錠箱への施解錠回転操作力の入力を可能とするボタンとを具備し、
前記摘みには、一方の摺動位置で前記ボタンを覆い隠し、他方の摺動位置で前記ボタンを露出させるカバー部材が移動自在に設けられたことを特徴とする防犯サムターン。
【請求項２】
前記カバー部材の摺動によって露出され始める前記ボタンの露出開始端が、前記カバー部材の移動方向に垂直な端面で形成されたことを特徴とする請求項１記載の防犯サムターン。
【請求項３】
前記摘みと前記カバー部材との間に、前記ボタンを覆い隠す一方の摺動位置へ前記カバー部材を付勢配置させる付勢手段が設けられたことを特徴とする請求項１又は２記載の防犯サムターン。
【発明の詳細な説明】
【技術分野】
【０００１】
本発明は、扉の屋内面に突出させた摘みの回転を規制することで、錠箱に対する不正な解錠操作力の入力を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。
【０００５】
このようなサムターンに針金等を係止して回転させることを防止するものに例えば下記特許文献２に開示されるサムターン用防犯カバーがある。このサムターン用防犯カバーは、取付部及び本体部から構成される。取付部は、サムターンに被着した状態で、サムターンを容易に回転させることができる。また、本体部は、取付部に係止可能な係止部を有し、この係止部を介し取付部に対して空転自在となる。このサムターン用防犯カバーによれば、係止部の係止を解除して本体部を取付部から外して、取付部を被着した状態のサムターンを回転させて施解錠操作が可能となるとともに、取付部に本体部を取り付けることで、本体部が空転し、針金等を引っ掛けたり、棒で押し回したりする不正解錠、所謂サムターン回しを行い難くして、防犯性を向上させることができた。
【特許文献１】特公平２−１５７１５号公報（第１図ｂ，第１図ｃ）
【特許文献２】実公平４−４０３６２号公報
【発明の開示】
【発明が解決しようとする課題】
【０００６】
上記した従来の防犯カバーは、既設のサムターンに被せた場合、本来小判形状であることからその回転位置によって視認できたサムターンの施錠状態又は非施錠状態が視認不能となり、誤操作が生じ易くなり、操作性を低下させた。また、サムターンを回転操作可能にする取付部と、この取付部に対し空転し、かつ着脱可能となる本体部との分離部材から構成されているため、脱着した本体部の保管管理が煩雑となり、本体部を紛失する虞もあった。そこで、挿入した針金や棒等を摘みに引っ掛け、或いは押すなどすることによるサムターン摘みの不正解錠が阻止できるとともに、分離部材から構成されることによる煩雑な保管管理や紛失を防止できるボタン押下式防犯サムターンが提案された。
ボタン押下式防犯サムターンは、扁平な摘みに押下自在なボタンが突設され、このボタンが押下されることで、摘みの回動規制が解除され、錠箱の施解錠機構に対する施解錠操作力の入力が可能となる。したがって、摘みを回すためにはボタンを押下しながら回転操作しなければならず、針金や棒等の不正治具を扉屋内側へ挿入することによる不正解錠、所謂サムターン回しを行い難くして、防犯性を向上させることができた。これに加え、煩雑な保管管理や紛失を防止でき、しかも、一般のサムターンと同様に摘みの垂直・水平姿勢から施解錠状態が容易に視認可能となった。
【０００７】
しかしながら、上記したボタン押下式防犯サムターンは、ボタンを押し込むと同時に、サムターンに回動力を加えると、内部機構の遊びなどで、ボタンが押下状態のままとなることがある。これは所謂ピッキングが行われる際の現象と同様のものである。そのため、このような現象が生じ得ることを見込まれて、仮に表裏２つのボタンが設けられたボタン押下式防犯サムターンであっても、例えば一方の面のボタンを棒などにより押下し、同時にサムターンに回動力を加えることにより一方のボタンを押下状態のままに保持させ、次いで他方の面のボタンを他の棒などによって押下しながらサムターンに回転力を加えることで、サムターンが不正に解錠操作されてしまうことが危惧された。
【０００８】
本発明は上記状況に鑑みてなされたもので、ボタン押下式防犯サムターンにおいても、ボタンが容易に押下状態に保持できない防犯サムターンを提供し、もって、防犯性の一層の向上を図ることを目的とする。
【課題を解決するための手段】
【０００９】
次に、上記の課題を解決するための手段を、実施の形態に対応する図面を参照して説明する。
本発明の請求項１記載の防犯サムターン１００は、扉Ｄの屋内面Ｄｓから突出され施錠機構を内蔵した錠箱へ施解錠回転操作力を入力可能とする一方、該施解錠回転操作力の入力を規制する回転規制手段の設けられた摘み２１と、
該摘み２１の外周に押下自在に突設され手指で押下されることで前記回転規制手段の規制を解除して前記摘み２１による前記錠箱への施解錠回転操作力の入力を可能とするボタン４５，４５とを具備し、
前記摘み２１には、一方の摺動位置で前記ボタン４５，４５を覆い隠し、他方の摺動位置で前記ボタン４５，４５を露出させるカバー部材４９が移動自在に設けられたことを特徴とする。
【００１０】
この防犯サムターン１００では、ボタン４５，４５がカバー部材４９によって覆われ、ボタン４５，４５を押下操作する前に、先ずカバー部材４９を移動してボタン４５，４５を露出させる操作が必要となる。したがって、ボタン押下に加え、さらにボタン４５，４５の露出操作が必要となって、棒や針金などを用いた不正解錠操作がより行い難くなる。このように、不正解錠は、より多くの手間を掛けさせ、所要時間を長引かせることにより、抑止が可能となる。
【００１１】
請求項２記載の防犯サムターン１００は、前記カバー部材４９の摺動によって露出され始める前記ボタン４５，４５の露出開始端が、前記カバー部材４９の移動方向に垂直な端面５３で形成されたことを特徴とする。
【００１２】
この防犯サムターン１００では、カバー部材４９とボタン４５，４５との間に仮に細棒や針金先端が挿入されても、これらの先端がボタン露出開始端の垂直端面５３に当接するのみで、引っ掛かりがない。このため、細棒などをボタン４５，４５とカバー部材４９との間隙に挿入することによるボタン押下方向への力が加えられなくなる。
【００１３】
請求項３記載の防犯サムターン１００は、前記摘み２１と前記カバー部材４９との間に、前記ボタン４５，４５を覆い隠す一方の摺動位置へ前記カバー部材４９を付勢配置させる付勢手段が設けられたことを特徴とする。
【００１４】
この防犯サムターン１００では、カバー部材４９が付勢手段によって一方の摺動位置へ付勢され、カバー部材４９がボタン４５，４５を覆う位置に保持される。したがって、カバー部材４９を移動させて、ボタン４５，４５を露出させても、ボタン４５，４５を押下するためにはカバー部材４９をボタン露出位置に保持し続けなければならず、さらに操作が必要となって棒や針金などを用いた不正解錠操作がより行い難くなる。
【発明の効果】
【００１５】
本発明に係る請求項１記載の防犯サムターンによれば、摘みの外周に押下自在に突設され手指で押下されることで回転規制手段の規制を解除して摘みによる錠箱への施解錠回転操作力の入力を可能とするボタンとを具備したボタン押下式防犯サムターンにおいて、一方の摺動位置でボタンを覆い隠し、他方の摺動位置でボタンを露出させるカバー部材を、移動自在に摘みに設けたので、ボタンをカバー部材によって覆うことができ、ボタンを不正に押下操作するには、先ずカバー部材を移動してボタンを露出させなければならず、ボタン押下に加え、さらにボタンを露出させるための一操作が必要となって、棒や針金などを用いた不正解錠操作をより行い難くすることができる。この結果、ボタン押下式防犯サムターンにおける防犯性を一層向上させることができる。
【００１６】
請求項２記載の防犯サムターンによれば、カバー部材の摺動によって露出され始めるボタンの露出開始端を、カバー部材の移動方向に垂直な端面で形成したので、仮に細棒や針金先端をカバー部材とボタンとの間に挿入しても、ボタンに対して押下する方向の力を加えることができず、防犯性を高めることができる。
【００１７】
請求項３記載の防犯サムターンによれば、摘みとカバー部材との間に、ボタンを覆い隠す一方の摺動位置へカバー部材を付勢配置させる付勢手段を設けたので、仮にカバー部材を移動させて、ボタンを露出させても、ボタンを押下するにはカバー部材を付勢力に抗して保持し続けなければならず、例えばボタンを押し込むと同時にサムターンに回動力を加え、内部機構の遊びなどでボタンを押下状態のままに保持させて、サムターンを解錠する所謂ピッキングと同様の現象を利用した不正操作を行い難くすることができる。
【発明を実施するための最良の形態】
【００１８】
以下、本発明に係る防犯サムターンの好適な実施の形態を図面を参照して詳細に説明する。
図１は本発明に係る防犯サムターンの縦断面図、図２は図１に示した防犯サムターンの外観斜視図、図３はカバー部材が移動された状態の防犯サムターンの縦断面図、図４は図３の外観斜視図、図５はボタンが押下された状態の防犯サムターンの縦断面図である。
本実施の形態による防犯サムターン１００が取付けられる扉Ｄには、図示しない錠箱が設けられる。錠箱は、ラッチボルト、デッドボルト、及びこれらを扉Ｄの木口に設けられる化粧プレートから進退させる図示しない施錠機構を内設している。錠箱のデッドボルトは、扉Ｄの屋外面に設けたシリンダー錠を合鍵（キー）によって、又は扉Ｄの屋内面Ｄｓに設けられたサムターン摘み（以下、単に「摘み」と称す）２１を回動することによって扉Ｄの木口から進退可能となっている。
【００１９】
扉Ｄ又は錠箱には固定筒２３が固定される。固定筒２３の軸線方向一端側の外周には一対の固定部２５，２５が突設され、固定部２５，２５は固定穴２７を有している。固定筒２３は、扉Ｄ内に設けられた錠箱にこの固定穴２７を介して固定される。
【００２０】
固定筒２３の先端にはスペーサリング２９が外挿される。スペーサリング２９の外周には中央穴３１を有した飾り筒３３が被せられて固定される。この飾り筒３３の外周側先端部には、先端が平坦な円錐形状の化粧リング３５が外装される。化粧リング３５は、後端の折り曲げ部３５ａと、飾り筒３３の後端面との間に配設されたバネ３７の付勢力によって後端が扉Ｄの屋内面Ｄｓに押付けられる。
【００２１】
固定筒２３の内部には図示しないコア筒が回転自在に内設され、コア筒は一端側に断面十字状の連結軸３９が軸線方向に突出され、この連結軸３９が図示しない錠箱の入出力軸に連結される。固定筒２３の先端側内部には、摘み２１の取り付けられる摘み杆４１が回転自在に内設される。摘み杆４１は、回転規制手段の構成部材であるレバー４３を揺動自在に支持するとともに、摘み杆４１からの回動操作力を連結軸３９へ伝達する。すなわち、摘み２１は、施錠機構を内蔵した錠箱への施解錠回転操作力を入力可能とする一方、レバー４３等によって施解錠回転操作力の入力を規制可能としている。
【００２２】
摘み２１には押下可能な一対のボタン４５，４５が表裏に設けられている。ボタン４５，４５は、圧縮バネ４７によって、突出方向に付勢され、摘み杆４１から突出されている。摘み２１は、ボタン４５，４５が手指で押下されることで、レバー４３，４３を作動させる。これにより、レバー４３，４３等からなる回転規制手段の規制が解除されて、摘み２１が回動自在となり、施解錠回転操作力が錠箱へ入力されるようになっている。
【００２３】
摘み２１の摘み杆４１には、ボタン４５，４５を覆うカバー部材４９が、摘み杆４１の軸線方向に移動自在に設けられている。カバー部材４９は、扉Ｄ側を小径側とする略円錐形状で形成されている。このカバー部材４９の傾斜側面には一対の窓部５１，５１が設けられ、窓部５１，５１はボタン４５，４５を露出可能としている。カバー部材４９は、図１，図２に示した一方の摺動位置でボタン４５，４５を覆い隠し、図３，図４に示した他方の摺動位置でボタン４５，４５を露出させる。本実施の形態において、カバー部材４９は、摘み杆４１に対して回転しない。これにより、窓部５１，５１がボタン４５，４５に対して円周方向で位置ずれしないようになっている。なお、カバー部材４９は、摘み杆４１に対し回転自在に設けられても良い。
【００２４】
ボタン４５，４５は、カバー部材４９が他方の摺動位置へ移動されると、露出開始端が露出され始める。ここで、ボタン４５，４５のそれぞれの露出開始端は、カバー部材４９の移動方向に垂直な端面５３で形成されている。このようなボタン４５，４５の形状とすることで、カバー部材４９とボタン４５，４５との間に仮に細棒や針金先端が挿入されても、これらの先端がボタン露出開始端の垂直な端面５３に当接するのみで、引っ掛かりがない。したがって、この防犯サムターン１００によれば、カバー部材４９の摺動によって露出され始めるボタン４５，４５の露出開始端を、垂直な端面５３で形成したので、仮に細棒や針金先端をカバー部材４９とボタン４５，４５との間に挿入しても、ボタン４５，４５に対して押下する方向の力を加えることができず、防犯性を高めることができる。
【００２５】
また、防犯サムターン１００では、摘み２１とカバー部材４９との間に、ボタン４５，４５を覆い隠す一方の摺動位置へ、カバー部材４９を付勢配置させる図示しない付勢手段を設けることが好ましい。この付勢手段としては、例えば摘み２１とカバー部材４９との間に配設される圧縮コイルバネや、引っ張りコイルバネを挙げることができる。このように付勢手段を設けることにより、カバー部材４９が付勢手段によって一方の摺動位置へ付勢され、カバー部材４９がボタン４５，４５を覆う位置に保持される。したがって、カバー部材４９を移動させて、ボタン４５，４５を露出させても、ボタン４５，４５を押下するためにはカバー部材４９をボタン露出位置に保持し続けなければならず、操作が１つ増え、この操作が必要となって、棒や針金などを用いた不正解錠操作がより行い難くなる。
【００２６】
次に、このように構成される防犯サムターン１００の作用を説明する。
防犯サムターン１００は、通常状態で、図１，図２に示すように、付勢手段によって一方の摺動位置に配置され、ボタン４５，４５が覆われている。したがって、ボタン４５，４５を押下することができないことから、回転規制手段を解除できず、摘み２１を回転操作することができない。これにより、施錠状態からの不正解錠が防止される。
【００２７】
正規の解錠によって施錠状態を解除するには、先ず、図３，図４に示すように、カバー部材４９を手前を引っ張り、カバー部材４９を他方の摺動位置へと付勢手段の付勢力に抗して移動させる。カバー部材４９が他方の摺動位置へ移動されると、ボタン４５，４５がカバー部材４９の窓部５１，５１から露出される。
【００２８】
ボタン４５，４５が窓部５１，５１から露出されたなら、図５に示すように、カバー部材４９を引っ張った状態のまま、一対のボタン４５，４５を手指によって押下する。これにより、回転規制手段の規制が解除され、摘み２１が回転可能な状態となる。この状態、すなわち、カバー部材４９を引っ張り、ボタン４５，４５を押下した状態で、摘み２１を回転操作する。これにより、摘み杆４１と共に連結軸３９が回転され、錠箱へ回転操作力が入力されて、錠箱が解錠状態となる。この際の手指の操作は、例えば人差し指と親指とでカバー部材４９を引き、これらの指で、露出したボタン４５，４５を同時に押下するとともに、摘み２１を回転させる。或いは、左右の手を使い、一方ではカバー部材４９を引き、他方で露出したボタン４５，４５を同時に押下を行い、そして摘み２１を回転させる。
【００２９】
このように、防犯サムターン１００では、ボタン４５，４５がカバー部材４９によって覆われ、ボタン４５，４５を押下操作する前に、先ずカバー部材４９を摺動移動してボタン４５，４５を露出させる操作が必要となる。したがって、ボタン押下に加え、さらにボタン４５，４５の露出操作が必要となって、棒や針金などを用いた不正解錠操作がより行い難くなる。このように、不正解錠は、より多くの手間を掛けさせ、所要時間を長引かせることにより、抑止が可能となる。
【００３０】
この防犯サムターン１００によれば、摘み２１の外周に押下自在に突設され手指で押下されることで回転規制手段の規制を解除して摘み２１による錠箱への施解錠回転操作力の入力を可能とするボタン４５，４５を具備したボタン押下式防犯サムターンにおいて、一方の摺動位置でボタン４５，４５を覆い隠し、他方の摺動位置でボタン４５，４５を露出させるカバー部材４９を、移動自在に摘み２１に設けたので、ボタン４５，４５をカバー部材４９によって覆うことができ、ボタン４５，４５を不正に押下操作するには、先ずカバー部材４９を移動してボタン４５，４５を露出させなければならず、ボタン押下に加え、さらにボタン４５，４５を露出させるための一操作が必要となって、棒や針金などを用いた不正解錠操作をより行い難くすることができる。この結果、ボタン押下式防犯サムターンにおける防犯性を一層向上させることができる。
【００３１】
また、摘み２１とカバー部材４９との間に、ボタン４５，４５を覆い隠す一方の摺動位置へカバー部材４９を付勢配置させる付勢手段を設けたので、仮にカバー部材４９を移動させて、ボタン４５，４５を露出させても、ボタン４５，４５を押下するにはカバー部材４９を付勢力に抗して保持し続けなければならず、例えばボタン４５，４５を押し込むと同時に摘み２１に回動力を加え、内部機構の遊びなどでボタン４５，４５を押下状態のままに保持させて、サムターンを解錠する所謂ピッキングと同様の現象を利用した不正操作を行い難くすることができる。
【００３２】
なお、上記の実施の形態では、カバー部材４９を摘み杆４１の軸線方向に移動させる（引っ張る）ことにより、一方の摺動位置又は他方の摺動位置に移動させて、ボタン４５，４５を覆い隠し、又は露出させる場合を例に説明したが、本発明に係る防犯サムターンは、この他の移動形態によってボタン４５，４５を露出させるものであってもよい。この移動形態としては、例えば、カバー部材４９を軸線回りに回転させる移動、或いは軸線方向に押し込む移動を挙げることができる。
【図面の簡単な説明】
【００３３】
【図１】本発明に係る防犯サムターンの縦断面図である。
【図２】図１に示した防犯サムターンの外観斜視図である。
【図３】カバー部材が移動された状態の防犯サムターンの縦断面図である。
【図４】図３の外観斜視図である。
【図５】ボタンが押下された状態の防犯サムターンの縦断面図である。
【符号の説明】
【００３４】
２１…摘み
４５，４５…ボタン
４９…カバー部材
５３…垂直な端面
１００…防犯サムターン
Ｄ…扉
Ｄｓ…屋内面
【図１】
2006193951.tif 000003
【図２】
2006193951.tif 000004
【図３】
2006193951.tif 000005
【図４】
2006193951.tif 000006
【図５】
2006193951.tif 000007